(57)【特許請求の範囲】
【請求項１】
基地局装置と通信する移動局装置であって、
セル内の移動局装置に共通して定められる第１検索領域または少なくともＣ−ＲＮＴＩに基づいて定められる第２検索領域でＣ−ＲＮＴＩでスクランブルされたＣＲＣビットをともなうＤＣＩフォーマットをモニタリングする手段と、
前記基地局装置からの指示に応じて、前記第１検索領域および前記第２検索領域のいずれとも異なる第３検索領域で、前記Ｃ−ＲＮＴＩでスクランブルされたＣＲＣビットをともなうＤＣＩフォーマットのモニタリングを行う手段と、を備えることを特徴とする移動局装置。
【請求項２】
前記拡張検索領域は、少なくともＲＲＣシグナリングを用いて特定されることを特徴とする請求項１に記載の移動局装置。
【請求項３】
セル内の移動局装置に共通して定められる第１検索領域または少なくともＣ−ＲＮＴＩに基づいて定められる第２検索領域でＣ−ＲＮＴＩでスクランブルされたＣＲＣビットをともなうＤＣＩフォーマットをモニタリングする手段を備える移動局装置と通信する基地局装置であって、
前記移動局装置に対して、前記第１検索領域および前記第２検索領域のいずれとも異なる第３検索領域で前記Ｃ−ＲＮＴＩでスクランブルされたＣＲＣビットをともなうＤＣＩフォーマットのモニタリングを行うように指示する手段を備えることを特徴とする基地局装置。
【請求項４】
前記拡張検索領域は、少なくともＲＲＣシグナリングを用いて特定されることを特徴とする請求項３に記載の基地局装置。
【請求項５】
移動局装置の処理方法であって、
セル内の移動局装置に共通して定められる第１検索領域または少なくともＣ−ＲＮＴＩに基づいて定められる第２検索領域でＣ−ＲＮＴＩでスクランブルされたＣＲＣビットをともなうＤＣＩフォーマットをモニタリングする手段と、
前記基地局装置からの指示に応じて、前記第１検索領域および前記第２検索領域のいずれとも異なる第３検索領域で、前記Ｃ−ＲＮＴＩでスクランブルされたＣＲＣビットをともなうＤＣＩフォーマットのモニタリングを行う手段と、を備えることを特徴とする処理方法。
【請求項６】
前記拡張検索領域は、少なくともＲＲＣシグナリングを用いて特定されることを特徴とする請求項５に記載の処理方法。
【請求項７】
セル内の移動局装置に共通して定められる第１検索領域または少なくともＣ−ＲＮＴＩに基づいて定められる第２検索領域でＣ−ＲＮＴＩでスクランブルされたＣＲＣビットをともなうＤＣＩフォーマットをモニタリングする手段を備える基地局装置の処理方法であって、
前記移動局装置に対して、前記第１検索領域および前記第２検索領域のいずれとも異なる第３検索領域で前記Ｃ−ＲＮＴＩでスクランブルされたＣＲＣビットをともなうＤＣＩフォーマットのモニタリングを行うように指示する手段を備えることを特徴とする処理方法。
【請求項８】
前記拡張検索領域は、少なくともＲＲＣシグナリングを用いて特定されることを特徴とする請求項７に記載の処理方法。
【発明の詳細な説明】
【技術分野】
【０００１】
本発明は、通信システム及び移動局装置及び基地局装置及び処理方法に関し、より詳細には、物理下りリンク制御チャネルの検索領域が存在する通信システム及び該通信システムに使用する移動局装置及び基地局装置に関する。
【背景技術】
【０００２】
３ＧＰＰ（3rd Generation Partnership Project：第３世代パートナーシッププロジェクト）は、Ｗ−ＣＤＭＡ（Wideband-Code Division Multiple Access：広帯域−符号分割多元接続）とＧＳＭ（Global System for Mobile Communications：ジーエスエム）を発展させたネットワークを基本した携帯電話システムの仕様の検討・作成を行うプロジェクトである。
【０００３】
３ＧＰＰでは、Ｗ−ＣＤＭＡ方式が第３世代セルラー移動通信方式として標準化され、順次サービスが開始されている。また、通信速度をさらに上げたＨＳＤＰＡ（High-Speed Downlink Packet Access：エイチエスディーピーエー）も標準化され、サービスが開始されている。
【０００４】
３ＧＰＰでは、第３世代無線アクセス技術の進化（ＬＴＥ（Long Term Evolution）、もしくは、ＥＵＴＲＡ（Evolved Universal Terrestrial Radio Access）と称する）、および、より広帯域なシステム帯域幅を利用して、さらなる高速なデータの送受信を実現する移動通信システム（以下、ＬＴＥ−Ａ（Long Term Evolution-Advanced）、若しくは、Ａｄｖａｎｃｅｄ−ＥＵＴＲＡと称する）に関する検討が進められている。
【０００５】
ＥＵＴＲＡにおける下りリンク通信方式として、互いに直交するサブキャリアを用いてユーザ多重化を行うＯＦＤＭＡ（Orthogonal Frequency Division Multiple Access：直交周波数分割多元接続）方式が提案されている。
【０００６】
また、ＯＦＤＭＡ方式において、チャネル符号化等の適応無線リンク制御（リンクアダプテーション：Link Adaptation）に基づく適応変復調・誤り訂正方式（ＡＭＣＳ：Adaptive Modulation and Coding Scheme）といった技術が適用されている。
【０００７】
ＡＭＣＳとは、高速パケットデータ伝送を効率的に行うために、各移動局装置のチャネル品質に応じて、誤り訂正方式、誤り訂正の符号化率、データ変調多値数などの無線伝送パラメータ（ＡＭＣモードとも称する）を切り替える方式である。
【０００８】
各移動局装置のチャネル品質は、ＣＱＩ（Channel Quality Indicator：チャネル品質指標）を使って基地局装置へフィードバックされる。
【０００９】
図１４は、従来の移動通信システムで用いられているチャネル構成を示す図である。このチャネル構成は、ＥＵＴＲＡなどの移動通信システムで用いられている（非特許文献１参照）。図１３に示す移動通信システムは、基地局装置１００、移動局装置２００ａ、２００ｂ、２００ｃを備えている。Ｒ０１は、基地局装置１００の通信可能な範囲を示しており、基地局装置１００は、この範囲Ｒ０１内に存在する移動局装置と通信を行う。
【００１０】
ＥＵＴＲＡにおいて、基地局装置１００から移動局装置２００ａ〜２００ｃへ信号を送信する下りリンクでは、物理報知チャネル（ＰＢＣＨ：Physical Broadcast Channel）、物理下りリンク制御チャネル（ＰＤＣＣＨ：Physical Downlink Control Channel）、物理下りリンク共用チャネル（ＰＤＳＣＨ：Physical Downlink Shared Channel）、物理マルチキャストチャネル（ＰＭＣＨ：Physical Multicast Channel）、物理制御フォーマット指示チャネル（ＰＣＦＩＣＨ：Physical Control Format Indicator Channel）、物理ハイブリッド自動再送要求指示チャネル（ＰＨＩＣＨ：Physical Hybrid ARQ Indicator Channel）が用いられる。
【００１１】
また、ＥＵＴＲＡにおいて、移動局装置２００ａ〜２００ｃから基地局装置１００へ信号を送信する上りリンクでは、物理上りリンク共用チャネル（ＰＵＳＣＨ：Physical Uplink Shared Channel）、物理上りリンク制御チャネル（ＰＵＣＣＨ：Physical Uplink Control Channel）、物理ランダムアクセスチャネル（ＰＲＡＣＨ：Physical Random Access Channel）が用いられる。
【００１２】
物理下りリンク制御チャネル（ＰＤＣＣＨ）で運ばれる下りリンク制御情報をＤＣＩ（DCI: Downlink Control Information）と呼ぶ。ＤＣＩには、複数のフォーマットが用意されている。ＤＣＩのフォーマットをＤＣＩフォーマット（DCI Format: Downlink Control Information Format）と呼ぶ。DCI Formatは、複数存在し、用途やビット数などによって分類されている。DCI Formatには、同一ビット数のものや異なるビット数のものが存在する。移動局装置は、受信したDCI Formatに応じて、物理下りリンク共用チャネル（ＰＤＳＣＨ）の受信を行う。移動局装置は、ＤＣＩの巡回冗長検査（ＣＲＣ：Cyclic Redundancy Check）がどの識別子（ＲＮＴＩ）でスクランブルされているかで、ＰＤＣＣＨおよび／またはＰＤＳＣＨおよび／またはＰＵＳＣＨの用途（トランスポートチャネルまたは論理チャネル）、またはDCI Format、またはＰＤＳＣＨの送信方式、またはＰＵＳＣＨの送信方式を判別することができる。ＲＮＴＩ （Radio Network Temporary Identity）は、物理下りリンク制御チャネル（ＰＤＣＣＨ）に含まれるＤＣＩのＣＲＣで暗示的に符号化される。具体的には、１６ビットのＣＲＣパリティビットと１６ビットのＲＮＴＩの論理和を行うことによって、ＣＲＣがＲＮＴＩでスクランブルされる。
【００１３】
下りリンク関連のＰＤＣＣＨのデコード処理の具体的な説明を行う。ＳＩ−ＲＮＴＩまたはＰ−ＲＮＴＩまたはＲＡ−ＲＮＴＩでスクランブルされたＣＲＣを持つＰＤＣＣＨをデコード処理するように設定された移動局装置は、共通検索領域のDCI Format 1AまたはDCI Format 1Cをデコード処理する。Ｃ−ＲＮＴＩまたはＳＰＳ  Ｃ−ＲＮＴＩでスクランブルされたＣＲＣを持つＰＤＣＣＨをデコード処理するように設定された移動局装置は、共通検索領域のDCI Format 1Aまたは、移動局特有検索領域のDCI Format 1AまたはDCI Format (1, 1B, 1D, 2, 2A)をデコード処理する。Ｔｅｍｐｏｒａｒｙ  Ｃ−ＲＮＴＩでスクランブルされたＣＲＣを持つＰＤＣＣＨをデコード処理するように設定された移動局装置は、共通検索領域のDCI Format 1A、または、移動局特有検索領域のDCI Format 1AまたはDCI Format 1をデコード処理する。
【００１４】
上りリンク関連のＰＤＣＣＨのデコード処理の具体的な説明を行う。Ｃ−ＲＮＴＩまたはＳＰＳ  Ｃ−ＲＮＴＩでスクランブルされたＣＲＣを持つＰＤＣＣＨをデコード処理するように設定された移動局装置は、共通検索領域のDCI Format 0または移動局特有検索領域のDCI Format 0をデコード処理する。Ｃ−ＲＮＴＩでスクランブルされたＣＲＣを持つＰＤＣＣＨをデコード処理するように設定され、下りリンクデータ到着のためのＰＤＣＣＨ  Ｏｒｄｅｒｅｄ  ＲＡＣＨを受信するように設定された移動局装置は、共通検索領域のDCI Format 1Aまたは移動局特有検索領域のDCI Format 1Aをデコード処理する。Ｔｅｍｐｏｒａｒｙ  Ｃ−ＲＮＴＩでスクランブルされたＣＲＣを持つＰＤＣＣＨをデコード処理するように設定された移動局装置は、共通検索領域のDCI Format 0をデコード処理する。ＴＰＣ−ＰＵＣＣＨ−ＲＮＴＩまたはＴＰＣ−ＰＵＳＣＨ−ＲＮＴＩでスクランブルされたＣＲＣを持つＰＤＣＣＨをデコード処理するように設定された移動局装置は、共通検索領域のDCI Format (3A, 3)をデコード処理する。DCI Format 3A, DCI Format 3は、DCIのフィールドに複数の移動局装置のＴＰＣ  Ｃｏｍｍａｎｄを配置することが可能である。そのため、DCI Format 3A, DCI Format 3は、複数の移動局装置がモニタリングできるように、共通検索領域に配置される。
【００１５】
ＬＴＥ−Ａでは、ＥＵＴＲＡの基本的なシステムを踏襲している。さらに、ＬＴＥ−Ａでは、一般的なシステムでは使用する周波数帯域は連続であるのに対し、連続／不連続な複数の周波数帯域（以下、キャリア要素（Carrier Component、または、コンポーネントキャリア（Component Carrier））と呼称する）を複合的に用いて、１つの広周波数帯域（広帯域なシステム帯域）として運用する（周波数帯域集約：Spectrum aggregation、Carrier aggregation）ことが提案されている。すなわち、使用可能な周波数帯域であるシステム帯域の中の一部の帯域幅を有する複数のコンポーネントキャリアで、一つのシステム帯域を構成している。それぞれのコンポーネントキャリアでは、ＬＴＥやＬＴＥ−Ａの移動局装置が動作することができる。また、移動通信システムに割り当てられた周波数帯域をより柔軟に使用するために、下りリンクの通信に使用される周波数帯域と上りリンクの通信に使用される周波数帯域が、異なる周波数帯域幅を持つことも提案されている。
【先行技術文献】
【非特許文献】
【００１６】
【非特許文献１】3GPP TS(Technical Specification)36.300、V8.10.0(2009-09)、Technical Specification Group Radio Access Network、Evolved Universal Terrestrial Radio Access(E-UTRA) and Evolved Universal Terrestrial Radio Access Network(E-UTRAN);Overall description;Stage 2(Release 8)
【発明の開示】
【発明が解決しようとする課題】
【００１７】
しかしながら、従来から知られている移動通信システムにおいて、複数のコンポーネントキャリアで通信を行っている場合のＰＤＣＣＨのデコード処理に対して、それぞれのコンポーネントキャリアのシステム情報のスケジューリングなどの複数の移動局装置への報知、ＴＰＣ−ＰＵＣＣＨ−ＲＮＴＩまたはＴＰＣ−ＰＵＳＣＨ−ＲＮＴＩなどの移動局装置のグループへの上りリンク電力制御を効率的に行うことができないという問題があった。これは、共通検索領域のＰＤＣＣＨの候補は非常に少なく、共通検索領域は多くのＰＤＣＣＨを配置するように設計されていないためである。
【００１８】
システム情報やランダムアクセス応答やページング情報のスケジューリング関して、ある移動局装置がＰＤＣＣＨをモニタリングするコンポーネントキャリアを削減した場合に、あるコンポーネントキャリアに、他のコンポーネントキャリアのシステム情報のスケジューリングのためのＰＤＣＣＨを配置する必要が生じる。その場合、複数のＰＤＣＣＨを共通検索領域に配置する必要が生じ、共通検索領域のオーバフローが生じてしまう。
【００１９】
上りリンク電力制御に関して、複数のコンポーネントキャリアに対する電力制御を行うため、複数のグループに属して、複数のＴＰＣ−ＰＵＣＣＨ−ＲＮＴＩまたはＴＰＣ−ＰＵＳＣＨ−ＲＮＴＩを一つの移動局装置がモニタリングする必要がある。その場合、複数のＰＤＣＣＨを共通検索領域に配置する必要が生じ、共通検索領域のオーバフローが生じてしまう。
【００２０】
これらの検索領域に関する問題は、１つのコンポーネントキャリアで通信を行っている場合のＰＤＣＣＨのデコード処理に対しても影響を与える。
【００２１】
本発明は、上記事情に鑑みてなされたものであり、その目的は、検索領域に関連したＰＤＣＣＨのデコード処理を効率的に行い、速やかに通信を行うことができる通信システム及び移動局装置及び基地局装置及び処理方法を提供することにある。
【課題を解決するための手段】
【００２２】
（１）上記の目的を達成するために、本発明は以下のような手段を講じた。すなわち、基地局装置と通信する移動局装置であって、セル内の移動局装置に共通して定められる第１検索領域または少なくともＣ−ＲＮＴＩに基づいて定められる第２検索領域でＣ−ＲＮＴＩでスクランブルされたＣＲＣビットをともなうＤＣＩフォーマットをモニタリングする手段と、前記基地局装置からの指示に応じて、前記第１検索領域および前記第２検索領域のいずれとも異なる第３検索領域で、前記Ｃ−ＲＮＴＩでスクランブルされたＣＲＣビットをともなうＤＣＩフォーマットのモニタリングを行う手段を備えることを特徴とする。
【００２３】
（２）また、前記移動局装置であって、前記拡張検索領域は、少なくともＲＲＣシグナリングを用いて特定されることを特徴とする。
【００２４】
（３）さらに、セル内の移動局装置に共通して定められる第１検索領域または少なくともＣ−ＲＮＴＩに基づいて定められる第２検索領域でＣ−ＲＮＴＩでスクランブルされたＣＲＣビットをともなうＤＣＩフォーマットをモニタリングする手段を備える移動局装置と通信する基地局装置であって、前記移動局装置に対して、前記第１検索領域および前記第２検索領域のいずれとも異なる第３検索領域で前記Ｃ−ＲＮＴＩでスクランブルされたＣＲＣビットをともなうＤＣＩフォーマットのモニタリングを行うように指示する手段を備えることを特徴とする。
【００２５】
（４）また、前記基地局装置であって、前記拡張検索領域は、少なくともＲＲＣシグナリングを用いて特定されることを特徴とする。
【００２６】
（５）さらに、移動局装置の処理方法であって、セル内の移動局装置に共通して定められる第１検索領域または少なくともＣ−ＲＮＴＩに基づいて定められる第２検索領域でＣ−ＲＮＴＩでスクランブルされたＣＲＣビットをともなうＤＣＩフォーマットをモニタリングする手段と、前記基地局装置からの指示に応じて、前記第１検索領域および前記第２検索領域のいずれとも異なる第３検索領域で、前記Ｃ−ＲＮＴＩでスクランブルされたＣＲＣビットをともなうＤＣＩフォーマットのモニタリングを行う手段とを備えることを特徴とする。
【００２７】
（６）また、前記移動局装置の処理方法であって、前記拡張検索領域は、少なくともＲＲＣシグナリングを用いて特定されることを特徴とする。
【００２８】
（７）さらに、セル内の移動局装置に共通して定められる第１検索領域または少なくともＣ−ＲＮＴＩに基づいて定められる第２検索領域でＣ−ＲＮＴＩでスクランブルされたＣＲＣビットをともなうＤＣＩフォーマットをモニタリングする手段を備える基地局装置の処理方法であって、前記移動局装置に対して、前記第１検索領域および前記第２検索領域のいずれとも異なる第３検索領域で前記Ｃ−ＲＮＴＩでスクランブルされたＣＲＣビットをともなうＤＣＩフォーマットのモニタリングを行うように指示する手段を備えることを特徴とする。
【００２９】
（８）また、前記基地局装置の処理方法であって、前記拡張検索領域は、少なくともＲＲＣシグナリングを用いて特定されることを特徴とする。
【発明の効果】
【００３０】
本発明の通信システム及び移動局装置及び基地局装置及び処理方法は、検索領域に関連したＰＤＣＣＨのデコード処理を効率的に行い、速やかに通信を行うことができる。
【発明を実施するための最良の形態】
【００３１】
以下、図面を参照して、本発明の各実施形態について説明する。
【００３２】
始めに、本発明の第１の実施形態について説明する。本発明の第１の実施形態による移動通信システムは、１つ以上の基地局装置（基地局）と１つ以上の移動局装置（移動局）とを備えていて、その間の無線通信を行う。１つの基地局装置は、１つ以上のセルを構成し、１つのセルに１つ以上の移動局装置を収容できる。
【００３３】
図１は、本発明の第１の実施形態による通信システムで用いる下りリンクのチャネルの構成を示す図である。また、図２は、本発明の第１の実施形態による通信システムで用いる上りリンクのチャネルの構成を示す図である。図１に示す下りリンクのチャネルと、図２に示す上りリンクのチャネルは、それぞれ論理チャネル、トランスポートチャネル、物理チャネルから構成されている。
【００３４】
論理チャネルは、媒体アクセス制御（ＭＡＣ：Medium Access Control）層で送受信されるデータ送信サービスの種類を定義する。トランスポートチャネルは、無線インターフェースで送信されるデータがどのような特性をもち、そのデータがどのように送信されるのかを定義する。物理チャネルは、トランスポートチャネルを運ぶ物理的なチャネルである。
【００３５】
下りリンクの論理チャネルには、報知制御チャネル（ＢＣＣＨ：Broadcast Control Channel）、ページング制御チャネル（ＰＣＣＨ：Paging Control Channel）、共通制御チャネル（ＣＣＣＨ：Common Control Channel）、専用制御チャネル（ＤＣＣＨ：Dedicated Control Channel）、専用トラフィックチャネル（ＤＴＣＨ：Dedicated Traffic Channel）、マルチキャスト制御チャネル（ＭＣＣＨ：Multicast Control Channel）、マルチキャストトラフィックチャネル（ＭＴＣＨ：Multicast Traffic Channel）が含まれる。上りリンクの論理チャネルには、共通制御チャネル（ＣＣＣＨ）、専用制御チャネル（ＤＣＣＨ）、専用トラフィックチャネル（ＤＴＣＨ）が含まれる。
【００３６】
下りリンクのトランスポートチャネルには、報知チャネル（ＢＣＨ：Broadcast Channel）、ページングチャネル（ＰＣＨ：Paging Channel）、下りリンク共用チャネル（ＤＬ−ＳＣＨ：Downlink Shared Channel）、マルチキャストチャネル（ＭＣＨ：Multicast Channel）が含まれる。上りリンクのトランスポートチャネルには、上りリンク共用チャネル（ＵＬ−ＳＣＨ：Uplink Shared Channel）、ランダムアクセスチャネル（ＲＡＣＨ：Random Access Channel）が含まれる。
【００３７】
下りリンクの物理チャネルには、物理報知チャネル（ＰＢＣＨ：Physical Broadcast Channel）、物理下りリンク制御チャネル（ＰＤＣＣＨ：Physical Downlink Control Channel）、物理下りリンク共用チャネル（ＰＤＳＣＨ：Physical Downlink Shared Channel）、物理マルチキャストチャネル（ＰＭＣＨ：Physical Multicast Channel）、物理制御フォーマット指示チャネル（ＰＣＦＩＣＨ：Physical Control Format Indicator Channel）、物理ハイブリッド自動再送要求指示チャネル（ＰＨＩＣＨ：Physical Hybrid ARQ Indicator Channel）が含まれる。上りリンクの物理チャネルには、物理上りリンク共用チャネル（ＰＵＳＣＨ：Physical Uplink Shared Channel）、物理ランダムアクセスチャネル（ＰＲＡＣＨ：Physical Random Access Channel）、物理上りリンク制御チャネル（ＰＵＣＣＨ：Physical Uplink Control Channel）が含まれる。
【００３８】
これらのチャネルは、従来技術で説明した図１３のようにして基地局装置と移動局装置の間で送受信される。
【００３９】
次に、論理チャネルについて説明する。報知制御チャネル（ＢＣＣＨ）は、システム情報を報知するために使用される下りリンクチャネルである。ページング制御チャネル（ＰＣＣＨ）は、ページング情報を送信するために使用される下りリンクチャネルであり、ネットワークが移動局装置のセル位置を知らないときに使用される。
【００４０】
共通制御チャネル（ＣＣＣＨ）は、移動局装置とネットワーク間の制御情報を送信するために使用されるチャネルであり、ネットワークと無線リソース制御（ＲＲＣ：Radio Resource Control）接続を有していない移動局装置によって使用される。
【００４１】
専用制御チャネル（ＤＣＣＨ）は、１対１（point-to-point）の双方向チャネルであり、移動局装置とネットワーク間で個別の制御情報を送信するために利用するチャネルである。専用制御チャネル（ＤＣＣＨ）は、ＲＲＣ接続を有している移動局装置によって使用される。
【００４２】
専用トラフィックチャネル（ＤＴＣＨ）は、１対１の双方向チャネルであり、１つの移動局装置専用のチャネルであって、ユーザ情報（ユニキャストデータ）の転送のために利用される。
【００４３】
マルチキャスト制御チャネル（ＭＣＣＨ）は、ネットワークから移動局装置へＭＢＭＳ（Multimedia Broadcast Multicast Service：マルチメディアブロードキャストマルチキャストサービス）制御情報を、一対多（point-to-multipoint）送信するために使用される下りリンクチャネルである。これは、１対多でサービスを提供するＭＢＭＳサービスに使用される。
【００４４】
ＭＢＭＳサービスの送信方法としては、単セル一対多（ＳＣＰＴＭ：Single-Cell Point-to-Multipoint）送信と、マルチメディアブロードキャストマルチキャストサービス単一周波数網（ＭＢＳＦＮ：Multimedia Broadcast multicast service Single Frequency Network）送信とがある。ＭＢＳＦＮ送信（MBSFN Transmission）とは、複数セルから同時に識別可能な波形（信号）を送信することで実現する同時送信技術である。一方、ＳＣＰＴＭ送信とは、１つの基地局装置でＭＢＭＳサービスを送信する方法である。
【００４５】
マルチキャスト制御チャネル（ＭＣＣＨ）は、１つまたは複数のマルチキャストトラフィックチャネル（ＭＴＣＨ）に利用される。マルチキャストトラフィックチャネル（ＭＴＣＨ）は、ネットワークから移動局装置へトラフィックデータ（ＭＢＭＳ送信データ）を一対多（point-to-multipoint）送信するために使用される下りリンクチャネルである。
【００４６】
なお、マルチキャスト制御チャネル（ＭＣＣＨ）およびマルチキャストトラフィックチャネル（ＭＴＣＨ）は、ＭＢＭＳを受信する移動局装置だけが利用する。
【００４７】
ＲＲＣで管理されるシステム情報は、報知制御チャネル（ＢＣＣＨ）で報知されたり、共通制御チャネル（ＣＣＣＨ）および／または専用制御チャネル（ＤＣＣＨ）のＲＲＣシグナリングで、基地局装置から個々の移動局装置へ通知されたりする。
【００４８】
次に、トランスポートチャネルについて説明する。報知チャネル（ＢＣＨ）は、固定かつ事前に定義された送信形式によって、セル全体に報知される。下りリンク共用チャネル（ＤＬ−ＳＣＨ）では、ＨＡＲＱ（Hybrid Automatic Repeat Request：ハイブリッド自動再送要求）、動的適応無線リンク制御、間欠受信（ＤＲＸ：Discontinuous Reception）、ＭＢＭＳ送信がサポートされ、セル全体に報知される必要がある。
【００４９】
また、下りリンク共用チャネル（ＤＬ−ＳＣＨ）では、ビームフォーミングを利用可能であり、動的リソース割り当ておよび準静的リソース割り当てがサポートされる。ページングチャネル（ＰＣＨ）では、ＤＲＸがサポートされ、セル全体に報知される必要がある。
【００５０】
また、ページングチャネル（ＰＣＨ）は、トラフィックチャネルや他の制御チャネルに対して動的に使用される物理リソース、すなわち物理下りリンク共用チャネル（ＰＤＳＣＨ）、にマッピングされる。
【００５１】
マルチキャストチャネル（ＭＣＨ）は、セル全体に報知される必要がある。また、マルチキャストチャネル（ＭＣＨ）では、複数セルからのＭＢＭＳ送信のＭＢＳＦＮ（MBMS Single Frequency Network）結合（Combining）や、拡張サイクリックプリフィックス（ＣＰ：Cyclic Prefix）を使う時間フレームなど、準静的リソース割り当てがサポートされる。
【００５２】
上りリンク共用チャネル（ＵＬ−ＳＣＨ）では、ＨＡＲＱ、動的適応無線リンク制御がサポートされる。また、上りリンク共用チャネル（ＵＬ−ＳＣＨ）では、ビームフォーミングを利用可能である。動的リソース割り当ておよび準静的リソース割り当てがサポートされる。ランダムアクセスチャネル（ＲＡＣＨ）は、限られた制御情報が送信され、衝突リスクがある。
【００５３】
次に、物理チャネルについて説明する。物理報知チャネル（ＰＢＣＨ）は、４０ミリ秒間隔で報知チャネル（ＢＣＨ）をマッピングする。４０ミリ秒のタイミングは、ブラインド検出（blind detection）される。すなわち、タイミング提示のために、明示的なシグナリングを行わなくても良い。また、物理報知チャネル（ＰＢＣＨ）を含むサブフレームは、そのサブフレームだけで復号できる（自己復号可能（self-decodable）である）。
【００５４】
物理下りリンク制御チャネル（ＰＤＣＣＨ）は、下りリンク共用チャネル（ＰＤＳＣＨ）のリソース割り当て、下りリンクデータに対するハイブリッド自動再送要求（ＨＡＲＱ）情報、および、物理上りリンク共用チャネル（ＰＵＳＣＨ）のリソース割り当てである上りリンク送信許可（上りリンクグラント）を移動局装置に通知するために使用されるチャネルである。
【００５５】
物理下りリンク共用チャネル（ＰＤＳＣＨ）は、下りリンクデータまたはページング情報を送信するために使用されるチャネルである。物理マルチキャストチャネル（ＰＭＣＨ）は、マルチキャストチャネル（ＭＣＨ）を送信するために利用するチャネルであり、下りリンク参照信号、上りリンク参照信号、物理下りリンク同期信号が別途配置される。
【００５６】
物理上りリンク共用チャネル（ＰＵＳＣＨ）は、主に上りリンクデータ（ＵＬ−ＳＣＨ）を送信するために使用されるチャネルである。基地局装置１００が、移動局装置２００をスケジューリングした場合には、チャネルフィードバックレポート（下りリンクのチャネル品質識別子ＣＱＩ（Channel Quality Indicator）、プレコーディングマトリックス識別子ＰＭＩ（Precoding Matrix Indicator）、ランク識別子ＲＩ（Rank Indicator））や下りリンク送信に対するＨＡＲＱ肯定応答（ＡＣＫ：Acknowledgement）／否定応答（ＮＡＣＫ：Negative Acknowledgement）も物理上りリンク共用チャネル（ＰＵＳＣＨ）を使用して送信される。
【００５７】
物理ランダムアクセスチャネル（ＰＲＡＣＨ）は、ランダムアクセスプリアンブルを送信するために使用されるチャネルであり、ガードタイムを持つ。物理上りリンク制御チャネル（ＰＵＣＣＨ）は、チャネルフィードバックレポート（ＣＱＩ、ＰＭＩ、ＲＩ）、スケジューリング要求（ＳＲ：Scheduling Request）、下りリンク送信に対するＨＡＲＱ、肯定応答／否定応答などを送信するために使用されるチャネルである。
【００５８】
物理制御フォーマット指示チャネル（ＰＣＦＩＣＨ）は、物理下りリンク制御チャネル（ＰＤＣＣＨ）のために使用されるＯＦＤＭシンボル数を移動局装置に通知するために利用するチャネルであり、各サブフレームで送信される。
【００５９】
物理ハイブリッド自動再送要求指示チャネル（ＰＨＩＣＨ）は、上りリンク送信に対するＨＡＲＱ  ＡＣＫ／ＮＡＣＫを送信するために利用するチャネルである。
【００６０】
下りリンク参照信号（ＤＬ−ＲＳ：Downlink Reference Signal）は、セル毎に所定の電力で送信されるパイロットシグナルである。また、下りリンク参照信号は、所定の時間間隔（例えば１フレーム）で周期的に繰り返される信号であり、移動局装置は、所定の時間間隔において下りリンク参照信号を受信し、受信品質を測定することによって、セル毎の受信品質の判断に用いる。また、下りリンク参照信号と同時に送信される下りデータの復調のための参照用の信号として用いる。下りリンク参照信号に使用される系列は、セル毎に一意に識別可能な系列であれば、任意の系列を用いても良い。
【００６１】
次に、本発明の第１の実施形態による通信システムによるチャネルマッピングについて説明する。
【００６２】
図１に示されるように、下りリンクでは、次のようにトランスポートチャネルと物理チャネルのマッピングが行われる。報知チャネル（ＢＣＨ）は、物理報知チャネル（ＰＢＣＨ）にマッピングされる。
【００６３】
マルチキャストチャネル（ＭＣＨ）は、物理マルチキャストチャネル（ＰＭＣＨ）にマッピングされる。ページングチャネル（ＰＣＨ）および下りリンク共用チャネル（ＤＬ−ＳＣＨ）は、物理下りリンク共用チャネル（ＰＤＳＣＨ）にマッピングされる。
【００６４】
物理下りリンク制御チャネル（ＰＤＣＣＨ）、物理ハイブリッド自動再送要求指示チャネル（ＰＨＩＣＨ）、物理制御フォーマット指示チャネル（ＰＣＦＩＣＨ）は、物理チャネル単独で使用される。
【００６５】
一方、上りリンクでは、次のようにトランスポートチャネルと物理チャネルのマッピングが行われる。上りリンク共用チャネル（ＵＬ−ＳＣＨ）は、物理上りリンク共用チャネル（ＰＵＳＣＨ）にマッピングされる。
【００６６】
ランダムアクセスチャネル（ＲＡＣＨ）は、物理ランダムアクセスチャネル（ＰＲＡＣＨ）にマッピングされる。物理上りリンク制御チャネル（ＰＵＣＣＨ）は、物理チャネル単独で使用される。
【００６７】
また、下りリンクにおいて、次のように論理チャネルとトランスポートチャネルのマッピングが行われる。ページング制御チャネル（ＰＣＣＨ）は、ページングチャネル（ＰＣＨ）にマッピングされる。
【００６８】
報知制御チャネル（ＢＣＣＨ）は、報知チャネル（ＢＣＨ）と下りリンク共用チャネル（ＤＬ−ＳＣＨ）にマッピングされる。共通制御チャネル（ＣＣＣＨ）、専用制御チャネル（ＤＣＣＨ）、専用トラフィックチャネル（ＤＴＣＨ）は、下りリンク共用チャネル（ＤＬ−ＳＣＨ）にマッピングされる。
【００６９】
マルチキャスト制御チャネル（ＭＣＣＨ）は、下りリンク共用チャネル（ＤＬ−ＳＣＨ）とマルチキャストチャネル（ＭＣＨ）にマッピングされる。マルチキャストトラフィックチャネル（ＭＴＣＨ）は、下りリンク共用チャネル（ＤＬ−ＳＣＨ）とマルチキャストチャネル（ＭＣＨ）にマッピングされる。
【００７０】
なお、マルチキャスト制御チャネル（ＭＣＣＨ）およびマルチキャストトラフィックチャネル（ＭＴＣＨ）からマルチキャストチャネル（ＭＣＨ）へのマッピングは、ＭＢＳＦＮ送信時に行われる一方、ＳＣＰＴＭ送信時は、このマッピングは下りリンク共用チャネル（ＤＬ−ＳＣＨ）にマッピングされる。
【００７１】
一方、上りリンクにおいて次のように論理チャネルとトランスポートチャネルのマッピングが行われる。共通制御チャネル（ＣＣＣＨ）、専用制御チャネル（ＤＣＣＨ）、専用トラフィックチャネル（ＤＴＣＨ）は、上りリンク共用チャネル（ＵＬ−ＳＣＨ）にマッピングされる。ランダムアクセスチャネル（ＲＡＣＨ）は、論理チャネルとマッピングされない。
【００７２】
図４は、本発明の第１の実施形態による基地局装置１００の構成を示す概略ブロック図である。基地局装置１００は、データ制御部１０１、ＯＦＤＭ変調部１０２、無線部１０３、スケジューリング部１０４、チャネル推定部１０５、ＤＦＴ−Ｓ−ＯＦＤＭ（ＤＦＴ−Ｓｐｒｅａｄ−ＯＦＤＭ）復調部１０６、データ抽出部１０７、上位層１０８、アンテナ部Ａ１を備えている。
【００７３】
無線部１０３、スケジューリング部１０４、チャネル推定部１０５、ＤＦＴ−Ｓ−ＯＦＤＭ復調部１０６、データ抽出部１０７、上位層１０８およびアンテナ部Ａ１は、受信部を構成している。また、データ制御部１０１、ＯＦＤＭ変調部１０２、無線部１０３、スケジューリング部１０４、上位層１０８およびアンテナ部Ａ１は、送信部を構成している。それぞれの送信部、受信部の一部は、コンポーネントキャリアごとに別々に処理するように構成され、一部は、コンポーネントキャリア間で共通の処理を行うように構成されている。
【００７４】
アンテナ部Ａ１、無線部１０３、チャネル推定部１０５、ＤＦＴ−Ｓ−ＯＦＤＭ復調部１０６およびデータ抽出部１０７は、上りリンクの物理層の処理を行う。アンテナ部Ａ２、データ制御部１０１、ＯＦＤＭ変調部１０２および無線部１０３は、下りリンクの物理層の処理を行う。
【００７５】
データ制御部１０１は、スケジューリング部１０４からトランスポートチャネルを取得する。データ制御部１０１は、トランスポートチャネルと、スケジューリング部１０４から入力されるスケジューリング情報に基づいて物理層で生成される信号およびチャネルを、スケジューリング部１０４から入力されるスケジューリング情報に基づいて、物理チャネルにマッピングする。以上のようにマッピングされた各データは、ＯＦＤＭ変調部１０２へ出力される。
【００７６】
ＯＦＤＭ変調部１０２は、データ制御部１０１から入力されたデータに対して、スケジューリング部１０４から入力されるスケジューリング情報（下りリンク物理リソースブロック（ＰＲＢ）割り当て情報（例えば、周波数、時間など物理リソースブロック位置情報）や、各下りリンク物理リソースブロック（ＰＲＢ）に対応する変調方式および符号化方式（例えば、１６ＱＡＭ変調、２／３コーディングレート）などを含む）に基づいて、符号化、データ変調、入力信号の直列／並列変換、ＩＦＦＴ（Inverse Fast Fourier Transform：逆高速フーリエ変換）処理、サイクリックプレフィックス（ＣＰ）の挿入、並びに、フィルタリングなどＯＦＤＭ信号処理を行い、ＯＦＤＭ信号を生成して、無線部１０３へ出力する。
【００７７】
無線部１０３は、ＯＦＤＭ変調部１０２から入力された変調データを無線周波数にアップコンバートして無線信号を生成し、アンテナ部Ａ１を介して、移動局装置２００に送信する。また、無線部１０３は、移動局装置２００からの上りリンクの無線信号を、アンテナ部Ａ１を介して受信し、ベースバンド信号にダウンコンバートして、受信データをチャネル推定部１０５とＤＦＴ−Ｓ−ＯＦＤＭ復調部１０６とに出力する。
【００７８】
スケジューリング部１０４は、媒体アクセス制御（ＭＡＣ：Medium Access Control）層の処理を行う。スケジューリング部１０４は、論理チャネルとトランスポートチャネルのマッピング、下りリンクおよび上りリンクのスケジューリング（ＨＡＲＱ処理、トランスポートフォーマットの選択など）などを行う。スケジューリング部１０４は、各物理層の処理部を統合して制御するため、スケジューリング部１０４と、アンテナ部Ａ１、無線部１０３、チャネル推定部１０５、ＤＦＴ−Ｓ−ＯＦＤＭ復調部１０６、データ制御部１０１、ＯＦＤＭ変調部１０２およびデータ抽出部１０７との間のインターフェースが存在する。ただし、図示しない。
【００７９】
スケジューリング部１０４は、下りリンクのスケジューリングでは、移動局装置２００から受信したフィードバック情報（下りリンクのチャネルフィードバックレポート（チャネル品質（ＣＱＩ）、ストリームの数（ＲＩ）、プレコーディング情報（ＰＭＩ）など））や、下りリンクデータに対するＡＣＫ／ＮＡＣＫフィードバック情報など）、各移動局装置の使用可能な下りリンク物理リソースブロック（ＰＲＢ）の情報、バッファ状況、上位層１０８から入力されたスケジューリング情報などに基づいて、各データを変調するための下りリンクのトランスポートフォーマット（送信形態）（物理リソースブロック（ＰＲＢ）の割り当ておよび変調方式および符号化方式など）の選定処理、ＨＡＲＱにおける再送制御および下りリンクのスケジューリングに使用されるスケジューリング情報の生成を行う。これら下りリンクのスケジューリングに使用されるスケジューリング情報は、データ制御部１０１およびデータ抽出部１０７へ出力される。
【００８０】
また、スケジューリング部１０４は、上りリンクのスケジューリングでは、チャネル推定部１０５が出力する上りリンクのチャネル状態（無線伝搬路状態）の推定結果、移動局装置２００からのリソース割り当て要求、各移動局装置２００の使用可能な下りリンク物理リソースブロック（ＰＲＢ）の情報、上位層１０８から入力されたスケジューリング情報などに基づいて、各データを変調するための上りリンクのトランスポートフォーマット（送信形態）（物理リソースブロック（ＰＲＢ）の割り当ておよび変調方式および符号化方式など）の選定処理および上りリンクのスケジューリングに使用されるスケジューリング情報の生成を行う。これら上りリンクのスケジューリングに使用されるスケジューリング情報は、データ制御部１０１およびデータ抽出部１０７へ出力される。
【００８１】
また、スケジューリング部１０４は、下りリンクおよび上りリンクのスケジューリング情報に、物理下りリンク制御チャネル（ＰＤＣＣＨ）の符号化のための情報を含めてデータ制御部１０１に通知する。この際、データ制御部１０１において、物理下りリンク制御チャネル（ＰＤＣＣＨ）で運ばれる下りリンク制御情報ＤＣＩ（DCI: Downlink Control Information）の巡回冗長検査（ＣＲＣ：Cyclic Redundancy Check）を適切なＲＮＴＩ （Radio Network Temporary Identity）でスクランブルするために、スケジューリング部１０４は、適切なＲＮＴＩの情報を下りリンクおよび上りリンクのスケジューリング情報に含めて、データ制御部１０１に通知する。
【００８２】
また、スケジューリング部１０４は、上位層１０８から入力された下りリンクの論理チャネルをトランスポートチャネルにマッピングし、データ制御部１０１へ出力する。また、スケジューリング部１０４は、データ抽出部１０７から入力された上りリンクで取得した制御データとトランスポートチャンネルを、必要に応じて処理した後、上りリンクの論理チャネルにマッピングし、上位層１０８へ出力する。
【００８３】
チャネル推定部１０５は、上りリンクデータの復調のために、上りリンク復調用参照信号（ＤＲＳ：Demodulation Reference Signal）から上りリンクのチャネル状態を推定し、その推定結果をＤＦＴ−Ｓ−ＯＦＤＭ復調部１０６に出力する。また、上りリンクのスケジューリングを行うために、上りリンク測定用参照信号（ＳＲＳ：Sounding Reference Signal）から上りリンクのチャネル状態を推定し、その推定結果をスケジューリング部１０４に出力する。
【００８４】
なお、上りリンクの通信方式は、ＤＦＴ−Ｓ−ＯＦＤＭ等のようなシングルキャリア方式を想定しているが、ＯＦＤＭ方式のようなマルチキャリア方式を用いても良い。
【００８５】
ＤＦＴ−Ｓ−ＯＦＤＭ復調部１０６は、チャネル推定部１０５から入力された上りリンクのチャネル状態推定結果に基づいて、無線部１０３から入力された変調データに対し、ＤＦＴ（Discrete Fourier Transform：離散フーリエ変換）変換、サブキャリアマッピング、ＩＦＦＴ変換、フィルタリング等のＤＦＴ−Ｓ−ＯＦＤＭ信号処理を行って、復調処理を施し、データ抽出部１０７に出力する。
【００８６】
データ抽出部１０７は、スケジューリング部１０４からのスケジューリング情報に基づいて、ＤＦＴ−Ｓ−ＯＦＤＭ復調部１０６から入力されたデータに対して、正誤を確認するとともに、確認結果（肯定信号ＡＣＫ／否定信号ＮＡＣＫ）をスケジューリング部１０４に出力する。
【００８７】
また、データ抽出部１０７は、スケジューリング部１０４からのスケジューリング情報に基づいて、ＤＦＴ−Ｓ−ＯＦＤＭ復調部１０６から入力されたデータからトランスポートチャネルと物理層の制御データとに分離して、スケジューリング部１０４に出力する。
【００８８】
分離された制御データには、移動局装置２００から通知されたフィードバック情報（下りリンクのチャネルフィードバックレポート（ＣＱＩ、ＰＭＩ、ＲＩ）、下りリンクのデータに対するＡＣＫ／ＮＡＣＫフィードバック情報）などが含まれている。
【００８９】
上位層１０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行う。上位層１０８は、下位層の処理部を統合して制御するため、上位層１０８と、スケジューリング部１０４、アンテナ部Ａ１、無線部１０３、チャネル推定部１０５、ＤＦＴ−Ｓ−ＯＦＤＭ復調部１０６、データ制御部１０１、ＯＦＤＭ変調部１０２およびデータ抽出部１０７との間のインターフェースが存在する。ただし、図示しない。
【００９０】
上位層１０８は、無線リソース制御部１０９を有している。また、無線リソース制御部１０９は、各種設定情報の管理、システム情報の管理、測定設定および測定結果の管理、ページング制御、各移動局装置の通信状態の管理、ハンドオーバーなどの移動管理、移動局装置ごとのバッファ状況の管理、ユニキャストおよびマルチキャストベアラの接続設定の管理、移動局識別子（ＵＥＩＤ）の管理などを行っている。上位層１０８は、別の基地局装置への情報および上位ノードへの情報の授受を行う。
【００９１】
図５は、本発明の第１の実施形態による移動局装置２００の構成を示す概略ブロック図である。移動局装置２００は、データ制御部２０１、ＤＦＴ−Ｓ−ＯＦＤＭ変調部２０２、無線部２０３、スケジューリング部２０４、チャネル推定部２０５、ＯＦＤＭ復調部２０６、データ抽出部２０７、上位層２０８、アンテナ部Ａ２を備えている。
【００９２】
データ制御部２０１、ＤＦＴ−Ｓ−ＯＦＤＭ変調部２０２、無線部２０３、スケジューリング部２０４、上位層２０８およびアンテナ部Ａ２は、送信部を構成している。また、無線部２０３、スケジューリング部２０４、チャネル推定部２０５、ＯＦＤＭ復調部２０６、データ抽出部２０７、上位層２０８およびアンテナ部Ａ２は、受信部を構成している。また、スケジューリング部２０４は、選択部を構成している。
【００９３】
アンテナ部Ａ２、データ制御部２０１、ＤＦＴ−Ｓ−ＯＦＤＭ変調部２０２および無線部２０３は、上りリンクの物理層の処理を行う。アンテナ部Ａ２、無線部２０３、チャネル推定部２０５、ＯＦＤＭ復調部２０６およびデータ抽出部２０７は、下りリンクの物理層の処理を行う。それぞれの送信部、受信部の一部は、コンポーネントキャリアごとに別々に処理するように構成され、一部は、コンポーネントキャリア間で共通の処理を行うように構成されている。
【００９４】
データ制御部２０１は、スケジューリング部２０４からトランスポートチャネルを取得する。データ制御部２０１は、トランスポートチャネルと、スケジューリング部１０４から入力されるスケジューリング情報に基づいて物理層で生成される信号およびチャネルを、スケジューリング部２０４から入力されるスケジューリング情報に基づいて、物理チャネルにマッピングする。このようにマッピングされた各データは、ＤＦＴ−Ｓ−ＯＦＤＭ変調部２０２へ出力される。
【００９５】
ＤＦＴ−Ｓ−ＯＦＤＭ変調部２０２は、データ制御部２０１から入力されたデータに対し、データ変調、ＤＦＴ処理、サブキャリアマッピング、逆高速フーリエ変換（ＩＦＦＴ）処理、サイクリックプレフィックス（ＣＰ）挿入、フィルタリングなどのＤＦＴ−Ｓ−ＯＦＤＭ信号処理を行い、ＤＦＴ−Ｓ−ＯＦＤＭ信号を生成して、無線部２０３へ出力する。
【００９６】
なお、上りリンクの通信方式は、ＤＦＴ−Ｓ−ＯＦＤＭ等のようなシングルキャリア方式を想定しているが、代わりにＯＦＤＭ方式のようなマルチキャリア方式を用いても良い。
【００９７】
無線部２０３は、ＤＦＴ−Ｓ−ＯＦＤＭ変調部２０２から入力された変調データを無線周波数にアップコンバートして無線信号を生成し、アンテナ部Ａ２を介して、基地局装置１００に送信する。
【００９８】
また、無線部２０３は、基地局装置１００からの下りリンクのデータで変調された無線信号を、アンテナ部Ａ２を介して受信し、ベースバンド信号にダウンコンバートして、受信データを、チャネル推定部２０５およびＯＦＤＭ復調部２０６に出力する。
【００９９】
スケジューリング部２０４は、媒体アクセス制御層の処理を行う。スケジューリング部１０４は、論理チャネルとトランスポートチャネルのマッピング、下りリンクおよび上りリンクのスケジューリング（ＨＡＲＱ処理、トランスポートフォーマットの選択など）などを行う。スケジューリング部１０４は、各物理層の処理部を統合して制御するため、スケジューリング部１０４と、アンテナ部Ａ２、データ制御部２０１、ＤＦＴ−Ｓ−ＯＦＤＭ変調部２０２、チャネル推定部２０５、ＯＦＤＭ復調部２０６、データ抽出部２０７および無線部２０３との間のインターフェースが存在する。ただし、図示しない。
【０１００】
スケジューリング部２０４は、下りリンクのスケジューリングでは、基地局装置１００や上位層２０８からのスケジューリング情報（トランスポートフォーマットやＨＡＲＱ再送情報）などに基づいて、トランスポートチャネルおよび物理信号および物理チャネルの受信制御、ＨＡＲＱ再送制御および下りリンクのスケジューリングに使用されるスケジューリング情報の生成を行う。これら下りリンクのスケジューリングに使用されるスケジューリング情報は、データ制御部２０１およびデータ抽出部２０７へ出力される。
【０１０１】
スケジューリング部２０４は、上りリンクのスケジューリングでは、上位層２０８から入力された上りリンクのバッファ状況、データ抽出部２０７から入力された基地局装置１００からの上りリンクのスケジューリング情報（トランスポートフォーマットやＨＡＲＱ再送情報など）、および、上位層２０８から入力されたスケジューリング情報などに基づいて、上位層２０８から入力された上りリンクの論理チャネルをトランスポートチャネルにマッピングするためのスケジューリング処理および上りリンクのスケジューリングに使用されるスケジューリング情報の生成を行う。なお、上りリンクのトランスポートフォーマットについては、基地局装置１００から通知された情報を利用する。これらスケジューリング情報は、データ制御部２０１およびデータ抽出部２０７へ出力される。
【０１０２】
また、スケジューリング部２０４は、上位層２０８から入力された上りリンクの論理チャネルをトランスポートチャネルにマッピングし、データ制御部２０１へ出力する。また、スケジューリング部２０４は、チャネル推定部２０５から入力された下りリンクのチャネルフィードバックレポート（ＣＱＩ、ＰＭＩ、ＲＩ）や、データ抽出部２０７から入力されたＣＲＣ確認結果についても、データ制御部２０１へ出力する。
【０１０３】
また、スケジューリング部２０４は、データ抽出部２０７から入力された下りリンクで取得した制御データとトランスポートチャネルを、必要に応じて処理した後、下りリンクの論理チャネルにマッピングし、上位層２０８へ出力する。
【０１０４】
また、スケジューリング部２０４は、下りリンクおよび上りリンクのスケジューリング情報に、物理下りリンク制御チャネル（ＰＤＣＣＨ）のデコード処理のための情報を含めてデータ抽出部２０７に通知する。この際、データ抽出部２０７において、物理下りリンク制御チャネル（ＰＤＣＣＨ）で運ばれる下りリンク制御情報ＤＣＩ（DCI: Downlink Control Information）の巡回冗長検査（ＣＲＣ：Cyclic Redundancy Check）がどのＲＮＴＩ （Radio Network Temporary Identity）でスクランブルされているかを検出するために、スケジューリング部２０４は、検出すべきＲＮＴＩの情報を下りリンクおよび上りリンクのスケジューリング情報に含めて、データ抽出部２０７に通知する。
【０１０５】
チャネル推定部２０５は、下りリンクデータの復調のために、下りリンク参照信号（ＲＳ）から下りリンクのチャネル状態を推定し、その推定結果をＯＦＤＭ復調部２０６に出力する。
【０１０６】
また、チャネル推定部２０５は、基地局装置１００に下りリンクのチャネル状態（無線伝搬路状態）の推定結果を通知するために、下りリンク参照信号（ＲＳ）から下りリンクのチャネル状態を推定し、この推定結果を下りリンクのチャネルフィードバックレポート（チャネル品質情報など）に変換して、スケジューリング部２０４に出力する。また、基地局装置１００に下りリンクの測定結果を通知するために、下りリンク参照信号（ＲＳ）の測定結果を無線リソース制御部２０９に出力する。
【０１０７】
ＯＦＤＭ復調部２０６は、チャネル推定部２０５から入力された下りリンクのチャネル状態推定結果に基づいて、無線部２０３から入力された変調データに対して、ＯＦＤＭ復調処理を施し、データ抽出部２０７に出力する。
【０１０８】
データ抽出部２０７は、ＯＦＤＭ復調部２０６から入力されたデータに対して、巡回冗長検査（ＣＲＣ）を行い、正誤を確認するとともに、確認結果（ＡＣＫ／ＮＡＣＫフィードバック情報）をスケジューリング部２０４に出力する。
【０１０９】
また、データ抽出部２０７は、スケジューリング部２０４からのスケジューリング情報に基づいて、ＯＦＤＭ復調部２０６から入力されたデータからトランスポートチャネルと物理層の制御データに分離して、スケジューリング部２０４に出力する。分離された制御データには、下りリンクまたは上りリンクのリソース割り当てや上りリンクのＨＡＲＱ制御情報などのスケジューリング情報が含まれている。このとき、物理下りリンク制御チャネル（ＰＤＣＣＨ）の検索空間（検索領域ともいう）をデコード処理し、自局宛の下りリンクまたは上りリンクのリソース割り当てなどを抽出する。
【０１１０】
上位層２０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行う。上位層２０８は、無線リソース制御部２０９を有している。上位層２０８は、下位層の処理部を統合して制御するため、上位層２０８と、スケジューリング部２０４、アンテナ部Ａ２、データ制御部２０１、ＤＦＴ−Ｓ−ＯＦＤＭ変調部２０２、チャネル推定部２０５、ＯＦＤＭ復調部２０６、データ抽出部２０７および無線部２０３との間のインターフェースが存在する。ただし、図示しない。
【０１１１】
無線リソース制御部２０９は、各種設定情報の管理、システム情報の管理、測定設定および測定結果の管理、ページング制御、自局の通信状態の管理、ハンドオーバーなどの移動管理、バッファ状況の管理、ユニキャストおよびマルチキャストベアラの接続設定の管理、移動局識別子（ＵＥＩＤ）の管理を行う。
【０１１２】
図３は、本発明のネットワーク構成の例について示した図である。移動局装置２００は、キャリアアグリゲーションによって複数の周波数層（下りリンクコンポーネントキャリアＤＬ  ＣＣ１〜下りリンクコンポーネントキャリアＤＬ  ＣＣ２、上りリンクコンポーネントキャリアＵＬ  ＣＣ１〜上りリンクコンポーネントキャリアＵＬ  ＣＣ２）で同時に通信が可能である場合、基地局装置１００は、複数の下りリンク周波数層毎に送信部１２、送信部１３を備えている（ＤＬ  ＣＣ１〜ＤＬ  ＣＣ２）。基地局装置１００は、複数の上りリンク周波数層毎に受信部１０、受信部１１を備えている（ＵＬ  ＣＣ１〜ＵＬ  ＣＣ２）。ただし、ＤＬ  ＣＣ１またはＵＬ  ＣＣ１が他の基地局から提供されていても本実施の形態を実現する上で問題は無い。また、送信部１２、送信部１３が一つの送信部で構成されても良い。また、受信部１０、受信部１１が一つの受信部で構成されても良い。
【０１１３】
移動局装置１００は、複数の下りリンク周波数層毎に受信部２１、受信部２２を備えている。移動局装置１００は、複数の上りリンク周波数層毎に送信部２０を備えている。受信部２１、受信部２２が一つの受信部で構成されても良い。また、この例では、移動局装置１００は、１つの送信部２０を持っているが、上りリンクのキャリアアグリゲーションを行う場合は、複数の送信部をもつ場合がある。このように、基地局装置１００が提供するキャリア数と、移動局装置２００が使用するキャリア数は異なってもよい。移動局装置２００に対して、専用信号（ＲＲＣシグナリングなど）にてコンポーネントキャリアの設定（キャリアアグリゲーション）が行われるため、移動局装置特有のコンポーネントキャリアの設定が可能である。図３では、基地局装置１００は、ＤＬ  ＣＣ１、ＤＬ  ＣＣ２、ＵＬ  ＣＣ１、ＵＬ  ＣＣ２を備えているのに対して、移動局装置２００は、ＤＬ  ＣＣ１、ＤＬ  ＣＣ２、ＵＬ  ＣＣ２を使用するように設定されている。
【０１１４】
移動局装置２００は、下りリンクコンポーネントキャリアがどの基地局装置から送信されているか、上りリンクコンポーネントキャリアがどの基地局装置で受信されるかを特に意識することなく、セルとして認識する。移動局装置２００は、各セルで報知されるシステム情報や個々の移動局装置に通知される専用信号（ＲＲＣシグナリングなど）から対応する下りリンクまたは上りリンクコンポーネントキャリアの周波数帯域や帯域幅などのシステム情報を取得する。
【０１１５】
物理下りリンク制御チャネル（ＰＤＣＣＨ）で運ばれる下りリンク制御情報をＤＣＩ（DCI: Downlink Control Information）と呼ぶ。ＤＣＩには、複数のフォーマットが用意されている。ＤＣＩのフォーマットをＤＣＩフォーマット（DCI Format: Downlink Control Information Format）と呼ぶ。DCI Formatは、複数存在し、用途やビット数などによって分類されている。DCI Formatには、同一ビット数のものや異なるビット数のものが存在する。移動局装置は、受信したDCI Formatに応じて、物理下りリンク共用チャネル（ＰＤＳＣＨ）の受信を行う。移動局装置は、ＤＣＩの巡回冗長検査（ＣＲＣ：Cyclic Redundancy Check）がどの識別子（ＲＮＴＩ）でスクランブルされているかで、ＰＤＣＣＨおよび／またはＰＤＳＣＨの用途（トランスポートチャネルまたは論理チャネル）、またはDCI Format、またはＰＤＳＣＨの送信方式を判別することができる。ＲＮＴＩ （Radio Network Temporary Identity）は、物理下りリンク制御チャネル（ＰＤＣＣＨ）に含まれるＤＣＩのＣＲＣで暗示的に符号化される。具体的には、１６ビットのＣＲＣパリティビットと１６ビットのＲＮＴＩの論理和を行うことによって、ＣＲＣがＲＮＴＩでスクランブルされる。
【０１１６】
物理下りリンク制御チャネル（ＰＤＣＣＨ）は、一つまたは複数の制御チャネルエレメント（ＣＣＥ：Control Channel Element）のセットで構成されており、対応するＣＣＥのセットは、複数存在し、物理下りリンク制御チャネル（ＰＤＣＣＨ）に含まれるＣＣＥ数も複数存在し、符号化率が可変である。物理下りリンク制御チャネル（ＰＤＣＣＨ）に含まれるＣＣＥ数によって、物理下りリンク制御チャネル（ＰＤＣＣＨ）のビット数が定まり、その物理下りリンク制御チャネル（ＰＤＣＣＨ）で運ばれるＤＣＩのビット数によって、符号化率が定まることになる。一つの制御チャネルエレメントＣＣＥは、複数のリソースエレメントのグループの集合で構成されている。移動局装置は、物理下りリンク制御チャネル（ＰＤＣＣＨ）が配置される候補のすべてをデコード処理し、検出すべきＲＮＴＩが含まれかつＣＲＣが成功していることによって、取得すべき物理下りリンク制御チャネル（ＰＤＣＣＨ）の特定およびデコード処理を行なう。この処理を、ブラインドデコーディングと呼ぶ。このブラインドデコーディングの数を減らすために、移動局識別子であるセル無線網臨時識別子（Ｃ−ＲＮＴＩ：Cell−Radio Network Temporary Identity）をベースにハッシュ関数の出力で、物理下りリンク制御チャネル（ＰＤＣＣＨ）の検索空間（デコードすべきリソースエレメントのグループ）を制限する。この移動局装置ごとに定められる領域を移動局特有検索領域(UE-specific Search Space)と呼ぶ。一方、共通検索領域（Common Search Space）は、移動局特有検索領域とは別に、セル内のすべての移動局装置が共通して物理下りリンク制御チャネル（ＰＤＣＣＨ）を検索する検索領域である。すなわち、共通検索領域は、セル内の移動局装置に共通して定められる検索領域である。
【０１１７】
図１３に、検索領域の概念図を示す。物理下りリンク制御チャネル（ＰＤＣＣＨ）が配置可能なＯＦＤＭシンボルは、サブフレームの先頭から１〜３シンボルであり、物理下りリンク制御チャネル（ＰＤＣＣＨ）が配置可能なＯＦＤＭシンボル数は可変である。このサブフレームの先頭から１〜３シンボル内の参照信号や物理ハイブリッド自動再送要求指示チャネル（ＰＨＩＣＨ）や物理制御フォーマット指示チャネル（ＰＣＦＩＣＨ）を除いたリソースエレメントに、物理下りリンク制御チャネル（ＰＤＣＣＨ）が配置される。このサブフレームの先頭から１〜３シンボル内のＣＣＥのセットが、それぞれ移動局特有検索領域(UE-specific Search Space)または共通検索領域（Common Search Space）である。
【０１１８】
ブラインドデコーディングの候補数は、検索領域の大きさと検出すべきDCI Formatサイズ（DCI Formatのビット数またはペイロードサイズ）の数によって定められる。共通検索領域では、検索領域として６候補、フォーマットサイズとして２候補で、ブラインドデコーディングの候補数は１２となる。移動局特有検索領域では、検索領域として１６候補、フォーマットサイズとして２候補で、ブラインドデコーディングの候補数は３２となる。よって、ある移動局装置のあるサブフレームにおけるブラインドデコーディングの候補数は、４４となる。なお、同一DCI Formatで異なるＲＮＴＩの場合は、ブラインドデコーディングの回数は増加しない。また、異なるDCI Formatでも同一ビット数の場合は、ブラインドデコーディングの回数は増加しない。共通検索領域でモニタリングするDCI Formatは、DCI Format 1A, DCI Format 0, DCI Format 1C, DCI Format 3, DCI Format 3Aである。DCI Format 1AとDCI Format 0とDCI Format 3とDCI Format 3Aは、同一ビット数である。移動局特有検索領域でモニタリングするDCI Formatは、DCI Format 1A, DCI Format 0, DCI Format (1, 1B, 1D, 2, 2A)であり、DCI Format 1AとDCI Format 0は、同一ビット数である。移動局装置は、DCI Format 1, DCI Format 1B, DCI Format 1D, DCI Format 2, DCI Format 2Aのどれか一つのFormatをモニタリングするように基地局装置によって設定される。DCI format (0, 1A)とDCI format (1, 1B, 1D, 2, 2A)のビット数は異なる。移動局装置は、DCI format 0, DCI format 1に含まれるフラグからDCI format 0かDCI format 1かを識別する。
【０１１９】
ＲＮＴＩは、複数定義されている。Ｐ−ＲＮＴＩ（Paging-RNTI）は、ページング情報およびシステム情報の更新情報のスケジューリングに使用される。ＳＩ−ＲＮＴＩ（System Information-RNTI）は、システム情報のスケジューリングに使用される。ＲＡ−ＲＮＴＩ（Random Access-RNTI）は、ランダムアクセス応答のスケジューリングに使用される。Ｔｅｍｐｏｒａｒｙ  Ｃ−ＲＮＴＩは、ランダムアクセス中の下りリンクスケジューリングおよび上りリンクスケジューリングに使用される。Ｃ−ＲＮＴＩは、ユニキャスト下りリンクおよび上りリンク送信の動的なスケジューリングに使用される。ＳＰＳ  Ｃ−ＲＮＴＩ（Semi-persistent Scheduling C-RNTI）は、ユニキャスト下りリンクおよび上りリンク送信の準静的なスケジューリングに使用される。ＴＰＣ−ＰＵＣＣＨ−ＲＮＴＩ（Transmit Power Control-Physical Uplink Control Channel-RNTI）またはＴＰＣ−ＰＵＳＣＨ−ＲＮＴＩ（Transmit Power Control-Physical Uplink Shared Channel-RNTI）は、物理レイヤの上りリンク電力制御に使用される。
【０１２０】
下りリンク関連のＰＤＣＣＨのデコード処理の具体的な説明を行う。ＳＩ−ＲＮＴＩまたはＰ−ＲＮＴＩまたはＲＡ−ＲＮＴＩでスクランブルされたＣＲＣを持つＰＤＣＣＨをデコード処理するように設定された移動局装置は、共通検索領域のDCI Format 1AまたはDCI Format 1Cをデコード処理する。Ｃ−ＲＮＴＩまたはＳＰＳ  Ｃ−ＲＮＴＩでスクランブルされたＣＲＣを持つＰＤＣＣＨをデコード処理するように設定された移動局装置は、共通検索領域のDCI Format 1Aまたは、移動局特有検索領域のDCI Format 1AまたはDCI Format (1, 1B, 1D, 2, 2A)をデコード処理する。Ｔｅｍｐｏｒａｒｙ  Ｃ−ＲＮＴＩでスクランブルされたＣＲＣを持つＰＤＣＣＨをデコード処理するように設定された移動局装置は、共通検索領域のDCI Format 1A、または、移動局特有検索領域のDCI Format 1AまたはDCI Format 1をデコード処理する。
【０１２１】
上りリンク関連のＰＤＣＣＨのデコード処理の具体的な説明を行う。Ｃ−ＲＮＴＩまたはＳＰＳ  Ｃ−ＲＮＴＩでスクランブルされたＣＲＣを持つＰＤＣＣＨをデコード処理するように設定された移動局装置は、共通検索領域のDCI Format 0または移動局特有検索領域のDCI Format 0をデコード処理する。Ｃ−ＲＮＴＩでスクランブルされたＣＲＣを持つＰＤＣＣＨをデコード処理するように設定され、下りリンクデータ到着のためのＰＤＣＣＨ  Ｏｒｄｅｒｅｄ  ＲＡＣＨを受信するように設定された移動局装置は、共通検索領域のDCI Format 1Aまたは移動局特有検索領域のDCI Format 1Aをデコード処理する。Ｔｅｍｐｏｒａｒｙ  Ｃ−ＲＮＴＩでスクランブルされたＣＲＣを持つＰＤＣＣＨをデコード処理するように設定された移動局装置は、共通検索領域のDCI Format 0をデコード処理する。ＴＰＣ−ＰＵＣＣＨ−ＲＮＴＩまたはＴＰＣ−ＰＵＳＣＨ−ＲＮＴＩでスクランブルされたＣＲＣを持つＰＤＣＣＨをデコード処理するように設定された移動局装置は、共通検索領域のDCI Format (3A, 3)をデコード処理する。DCI Format 3A, DCI Format 3は、DCIのフィールドに複数の移動局装置のＴＰＣ  Ｃｏｍｍａｎｄを配置することが可能である。そのため、DCI Format 3A, DCI Format 3は、複数の移動局装置がモニタリングできるように、共通検索領域に配置される。
【０１２２】
続いて、特定の移動局装置に対して、検索領域を拡張する方法について説明する。本発明の実施形態による移動通信システムでは、ＬＴＥ（リリース８、リリース９）端末とＬＴＥ−Ａ（リリース１０）端末など異なるリリースの端末を混在して収容可能である。また、ＬＴＥ−Ａ端末は、通信を開始して、基地局装置から特定のリリースで規定された動作をするように指定されるまで、ＬＴＥ（リリース８）として動作する。
【０１２３】
ＬＴＥ（リリース８）端末が共通検索領域でモニタリングするDCI Formatは、DCI Format 1A, DCI Format 0, DCI Format 1C, DCI Format 3, DCI Format 3Aである。ＬＴＥ（リリース８）端末が移動局特有検索領域でモニタリングするDCI Formatは、DCI Format 1A, DCI Format 0, DCI Format (1, 1B, 1D, 2, 2A)である。
【０１２４】
ＬＴＥ―Ａ（リリース１０）端末が共通検索領域でモニタリングするDCI Formatは、DCI Format 1A, DCI Format 0, DCI Format 1C, DCI Format 3, DCI Format 3Aである。ＬＴＥ―Ａ（リリース１０）端末が移動局特有検索領域でモニタリングするDCI Formatは、DCI Format 1A, DCI Format 0, DCI Format 0A, DCI Format (1, 1B, 1D, 2, 2A, X)である。すなわち、下りリンクの送信方式の拡張によって、DCI Format Xのモニタリングが追加される。ただし、1, 1B, 1D, 2, 2A, Xが排他的に設定されるため、DCI Format Xの導入は、ブラインドデコーディング数の増加にはつながらない。上りリンク送信方式の拡張によって、DCI Format 0Aのモニタリングが追加される。これによって、ブラインドデコーディングの候補数は、１６追加されて、６０となる。また、キャリアアグリゲーションが設定され、ＰＤＣＣＨをモニタリングするコンポーネントキャリア数をＮとすると、ブラインドデコーディング候補数は、Ｎｘ６０となる。キャリアアグリゲーションを行わない場合はＮ＝１とすればよい。
【０１２５】
移動局装置は、セル内の移動局装置に共通して定められる共通検索領域と移動局装置ごとに定められる移動局特有検索領域にて、物理下りリンク制御チャネルのモニタリングを行い、基地局装置からの指示に応じて、さらに拡張検索領域でも、物理下りリンク制御チャネルのモニタリングを行う。これによって、特定の移動局装置だけがモニタリングする拡張検索領域を設定することが可能となり、特定の複数の移動局装置に向けた、システム情報、システム情報更新、ページング情報、ランダムアクセス応答、物理レイヤの上りリンク電力制御のための情報などを効率的に通知することが可能となる。
【０１２６】
続いて、図６、７、８、９、１０を用いて、キャリアアグリゲーションが行われた際の移動局装置のＰＤＣＣＨのモニタリング方法について説明する。下りリンクコンポーネントキャリアセット（Downlink Component Carrier Set）は、基地局装置から移動局装置に設定されたキャリアアグリゲーションで使用する下りリンクコンポーネントキャリアのセットである。ＣＣ＃５は、拡張キャリア（Extension Carrier）であり、ＰＤＣＣＨの領域を持たないキャリアである。また、ＰＤＣＣＨモニタリングセット（PDCCH Monitoring Set）は、下りリンクコンポーネントキャリアセットのサブセットであり、移動局装置がＰＤＣＣＨをモニタリングするように要求される下りリンクコンポーネントキャリアのセットである。
ＰＤＣＣＨモニタリングセットは、基地局装置から移動局装置に設定するようにしても良いし、コンポーネントキャリアのアクティベーション／デアクティベーションや、ＤＲＸ（Discontinuous Reception）処理などに伴って動的に変更されてもよい。下りリンクコンポーネントキャリアセットのうち、ＰＤＣＣＨモニタリングセットは、アクティベートされたコンポーネントキャリア、ＰＤＣＣＨモニタリングセット以外のコンポーネントキャリアをデアクティベートされたコンポーネントキャリアとしても良い。ＰＤＣＣＨモニタリングセットとコンポーネントキャリアのアクティベーション／デアクティベーションは独立して制御されてもよい。ＰＤＣＣＨモニタリングセットとコンポーネントキャリアのアクティベーション／デアクティベーションが独立に制御されているとすれば、下りリンクコンポーネントキャリアセットのうち、ＰＤＣＣＨモニタリングセット以外のコンポーネントキャリアとは、アクティベートされたコンポーネントキャリアに限定してもよいし、アクティベートされたコンポーネントキャリアとデアクティベートされたコンポーネントキャリアの両方を対象としても良い。また、常に下りリンクコンポーネントキャリアセット（拡張キャリアを除く）とＰＤＣＣＨモニタリングセットが同一であれば、ＰＤＣＣＨモニタリングセットを設定する必要はない。
【０１２７】
各コンポーネントキャリアの共通検索領域および移動局特有検索領域およびＰＤＣＣＨ領域（ＰＤＣＣＨが配置可能なＯＦＤＭシンボル）は、コンポーネントキャリア毎に定義される。
【０１２８】
図６では、たとえ、ＰＤＣＣＨモニタリングセットが設定されたとしても、移動局装置は、下りリンクコンポーネントキャリアセット（拡張キャリアを除く）であれば共通検索領域をモニタリングする。このようにすることによって、ページング情報、システム情報更新、システム情報、ランダムアクセス応答、物理レイヤの上りリンク電力制御のための情報を各コンポーネントキャリアに配置することが可能となり、一つのコンポーネントキャリアの共通検索領域にＰＤＣＣＨのトラフィックが集中することを回避することができる。すなわち、移動局装置は、ＰＤＣＣＨモニタリングセットでは、（第１の）共通検索領域および移動局特有検索領域をモニタリングし、下りリンクコンポーネントキャリアセット内のＰＤＣＣＨを配置可能なコンポーネントキャリアでは、ＰＤＣＣＨモニタリングセット以外のコンポーネントキャリアであっても、（第４の）共通検索領域をモニタリングする。この際、共通検索領域でモニタリングするDCI Formatは、DCI Format 1A, DCI Format 0, DCI Format 1C, DCI Format 3, DCI Format 3Aであってもよいし、新たに定義されるDCI Formatであってもよいし、それらの中の一部のDCI Formatに限定してもよい。この際、グループ特有検索領域でモニタリングするＲＮＴＩは、Ｐ−ＲＮＴＩ，ＳＩ−ＲＮＴＩ，ＲＡ−ＲＮＴＩ，Ｔｅｍｐｏｒａｒｙ  Ｃ−ＲＮＴＩ，Ｃ−ＲＮＴＩ，ＳＰＳ  Ｃ−ＲＮＴＩ，ＴＰＣ−ＰＵＣＣＨ−ＲＮＴＩ，ＴＰＣ−ＰＵＳＣＨ−ＲＮＴＩであってもよいし、新たに定義されるＲＮＴＩであってもよいし、それら中の一部のＲＮＴＩに限定してもよい。この場合、ＰＤＣＣＨモニタリングセットのコンポーネントキャリア数をＮ（図６では、Ｎ＝３）、（第１および／または第４の）共通検索領域をモニタリングするコンポーネントキャリア数をＭ（図６では、Ｍ＝４）とすると、ブラインドデコーディング候補数は、Ｎｘ３２＋Ｍｘ１２となる。
【０１２９】
図７では、図６に加え、さらに、移動通信システムは、第２の共通検索領域を備える。移動局装置は、第２の共通検索領域を持つ特定のコンポーネントキャリアを明示的、または、他の何らかの情報に関連付けて暗示的に指定され、その特定のコンポーネントキャリアにおいて、第２の共通検索領域をモニタリングする。第２の共通検索領域の有無または位置または領域を特定するための情報は、各セル（コンポーネントキャリア）で報知されるシステム情報や個々の移動局装置に通知される専用信号（ＲＲＣシグナリングなど）を使って、基地局装置から移動局装置へ指定される。ＬＴＥ（リリース８）では、このような領域の指定を行うことはできないので、ＬＴＥ（リリース９）やＬＴＥ−Ａ（リリース１０）などの新しいリリースの移動局装置のみが、第２の共通検索領域をモニタリングすることになる。このようにすることによって、第２の共通検索領域をモニタリングする能力を持った移動局装置だけが、第２の共通検索領域をモニタリングすることが可能となり、ＬＴＥ−Ａ用のシステム情報、システム情報更新、ページング情報、ランダムアクセス応答、物理レイヤの上りリンク電力制御のための情報などを通知することが可能となる。この際、第２の共通検索領域でモニタリングするDCI Formatは、DCI Format 1A, DCI Format 0, DCI Format 1C, DCI Format 3, DCI Format 3Aであってもよいし、新たに定義されるDCI Formatであってもよいし、それら中の一部のDCI Formatに限定してもよい。この際、グループ特有検索領域でモニタリングするＲＮＴＩは、Ｐ−ＲＮＴＩ，ＳＩ−ＲＮＴＩ，ＲＡ−ＲＮＴＩ，Ｔｅｍｐｏｒａｒｙ  Ｃ−ＲＮＴＩ，Ｃ−ＲＮＴＩ，ＳＰＳ  Ｃ−ＲＮＴＩ，ＴＰＣ−ＰＵＣＣＨ−ＲＮＴＩ，ＴＰＣ−ＰＵＳＣＨ−ＲＮＴＩであってもよいし、新たに定義されるＲＮＴＩであってもよいし、それら中の一部のＲＮＴＩに限定してもよい。この場合、ＰＤＣＣＨモニタリングセットのコンポーネントキャリア数をＮ（図８では、Ｎ＝３）、（第１および／または第４の）共通検索領域をモニタリングするコンポーネントキャリア数をＭ（図７では、Ｍ＝４）、第２の共通検索領域のブラインドデコーディング数をＸとすると、ブラインドデコーディング候補数は、Ｎｘ３２＋Ｍｘ１２＋Ｘとなる。キャリアアグリゲーションを行わない場合は、Ｎ＝Ｍ＝１とすればよい。第２の共通検索領域は、特定のコンポーネントキャリアのみに配置されてもよいし、複数のコンポーネントキャリアに配置されてもよいし、共通検索領域を持つすべてのコンポーネントキャリアに配置されてもよい。
【０１３０】
図８では、ブラインドデコーディングを削減する方法が示されている。移動局装置は、（第１の）共通検索領域を持つ特定の一つ又は複数のコンポーネントキャリアを明示的、または、他の何らかの情報に関連付けて暗示的に指定され、その特定の一つ又は複数のコンポーネントキャリア（アンカーコンポーネントキャリアとも呼ぶ）において、共通検索領域をモニタリングする。移動局装置は、それ以外のコンポーネントキャリアの共通検索領域を第３の共通検索領域とし、第３の共通検索領域では、同一サブフレームにおいては、複数の第３の共通検索領域をモニタリングしないようにする。このようにすることによって、第３の共通検索領域では、共通検索領域をモニタリングする必要が生じた場合にのみモニタリングを行うようにし、さらに、複数同時モニタリングを禁止することによって、ブラインドデコーディングを減らすことが可能となる。この第３の共通探索領域は、ＰＤＣＣＨモニタリングセットに限定してもよいし、下りリンクコンポーネントキャリアセット（拡張キャリアを除く）まで拡張してもよい。また、移動局装置は、ＰＤＣＣＨモニタリングセット内では、移動局特有検索領域もモニタリングする。この場合、ＰＤＣＣＨモニタリングセットのコンポーネントキャリア数をＮ（図８では、Ｎ＝３）、（第１および／または第４の）共通検索領域をモニタリングするコンポーネントキャリア数をＭ（図８では、Ｍ＝１）、第３の共通探索領域をモニタリングするコンポーネントキャリア数を（図８では、Ｌ＝３）とすると、ブラインドデコーディング候補数は、Ｎｘ３２＋Ｍｘ１２＋（１２または０）となる。第３の共通探索領域は必要に応じてモニタリングされるため、ブラインドデコーディング候補数が０の場合もある。第３の共通探索領域は、共通探索領域と同様にブラインドデコーディング候補数を１２としているが、１２以外の値でもよい。
【０１３１】
特定の移動局装置グループに対して、共通検索領域を拡張するという概念で説明したが、特定の移動局装置のグループに対して新たにグループ特有検索領域（Group Specific Search Space）を設けるという概念で説明する。第２の共通検索領域と同様に、ＬＴＥ−Ａ端末のすべてがグループ化されるようにしても良いし、同一のＲＮＴＩをモニタリングする移動局装置がグループ化されるようにしても良い。第２の共通検索領域と同様にＬＴＥ−Ａ端末のすべてがグループ化される場合は、第２の共通検索領域の指定の方法と同様にして、移動局装置はグループ特有検索領域を特定できる。同一のＲＮＴＩをモニタリングする移動局装置がグループ化される場合にも、第２の共通検索領域の指定の方法と同様の方法を使ってもよいし、移動局特有検索領域と同様にＲＮＴＩのハッシュ関数によって移動局装置がグループ特有検索領域を特定するようにしてもよい。ＲＮＴＩのハッシュ関数によってグループ特有検索領域を定める方法は、特に、DCI Format 3, DCI Format 3Aを使用するＴＰＣ−ＰＵＣＣＨ−ＲＮＴＩまたはＴＰＣ−ＰＵＳＣＨ−ＲＮＴＩ対して適用することが望ましい。この場合、ＴＰＣ−ＰＵＣＣＨ−ＲＮＴＩやＴＰＣ−ＰＵＳＣＨ−ＲＮＴＩをそのままハッシュ関数への入力として使用できるからである。しかし、グループ特有検索領域を定めるためのハッシュ関数の入力としてのＲＮＴＩを新たに基地局装置が移動局装置に通知するようにしても良い。このために報知や専用信号を使用することも可能である。またこのＲＮＴＩが予め規定されているようにしても良い。このグループ特有検索領域をＰＤＣＣＨモニタリングセットにのみ配置できるようにしても良いし、ＰＤＣＣＨモニタリングセット以外にも配置でききるようにしても良い。この際、グループ特有検索領域でモニタリングするDCI Formatは、DCI Format 1A, DCI Format 0, DCI Format 1C, DCI Format 3, DCI Format 3Aであってもよいし、新たに定義されるDCI Formatであってもよいし、それら中の一部のDCI Formatに限定してもよい。この際、グループ特有検索領域でモニタリングするＲＮＴＩは、Ｐ−ＲＮＴＩ，ＳＩ−ＲＮＴＩ，ＲＡ−ＲＮＴＩ，Ｔｅｍｐｏｒａｒｙ  Ｃ−ＲＮＴＩ，Ｃ−ＲＮＴＩ，ＳＰＳ  Ｃ−ＲＮＴＩ，ＴＰＣ−ＰＵＣＣＨ−ＲＮＴＩ，ＴＰＣ−ＰＵＳＣＨ−ＲＮＴＩであってもよいし、新たに定義されるＲＮＴＩであってもよいし、それら中の一部のＲＮＴＩに限定してもよい。
【０１３２】
図９に、グループ特有検索領域を設定して場合が示されている。このようにグループ特有検索領域を設定することによって、特定のグループの移動局装置だけがモニタリングする領域を設定することが可能となり、特定の移動局装置群に向けた、システム情報、システム情報更新、ページング情報、ランダムアクセス応答、物理レイヤの上りリンク電力制御のための情報などを効率的に通知することが可能となる。この場合、ＰＤＣＣＨモニタリングセットのコンポーネントキャリア数をＮ（図９では、Ｎ＝３）、（第１および／または第４の）共通検索領域をモニタリングするコンポーネントキャリア数をＭ（図９では、Ｍ＝４）、グループ特有検索領域のブラインドデコーディング数をＸとすると、ブラインドデコーディング候補数は、Ｎｘ３２＋Ｍｘ１２＋Ｘとなる。
【０１３３】
図１０に、グループ特有検索領域および第３の共通検索領域を使用する場合が示されている。このようにすることによって、ブラインドデコーディングを削減しながら特定のグループの移動局装置だけがモニタリングする領域を設定することが可能となる。この場合、ＰＤＣＣＨモニタリングセットのコンポーネントキャリア数をＮ（図１０では、Ｎ＝３）、（第１および／または第４の）共通検索領域をモニタリングするコンポーネントキャリア数をＭ（図１０では、Ｍ＝１）、第３の共通探索領域をモニタリングするコンポーネントキャリア数を（図１０では、Ｌ＝３）、グループ特有検索領域のブラインドデコーディング数をＸとすると、ブラインドデコーディング候補数は、Ｎｘ３２＋Ｍｘ１２＋Ｘ＋（１２または０）となる。
【０１３４】
図１１に、グループ特有検索領域およびアンカーコンポーネントキャリアを使用する場合が示されている。このようにすることによって、ブラインドデコーディングを削減しながら特定のグループの移動局装置だけがモニタリングする領域を設定することが可能となる。この場合、ＰＤＣＣＨモニタリングセットのコンポーネントキャリア数をＮ（図１１では、Ｎ＝３）、（第１および／または第４の）共通検索領域をモニタリングするコンポーネントキャリア数をＭ（図１１では、Ｍ＝１）、グループ特有検索領域のブラインドデコーディング数をＸとすると、ブラインドデコーディング候補数は、Ｎｘ３２＋Ｍｘ１２＋Ｘとなる。
【０１３５】
図１２を用いて、グループ特有検索領域および／または第２の共通検索領域および／または第３の共通検索領域および／または第４の共通検索領域などの拡張検索領域のモニタリング開始処理を説明する。基地局装置は、移動局装置に対して、拡張検索領域のモニタリングをするように要求する指示に関する情報を通知する。上記にも述べたように拡張検索領域に関連する情報は、各セル（コンポーネントキャリア）で報知されるシステム情報や個々の移動局装置に通知される専用信号（ＲＲＣシグナリングなど）を使って通知される。ただし、拡張検索領域のモニタリングをするよう要求する指示に関する情報は、専用信号（ＲＲＣシグナリングなど）を使って移動局装置個別に通知されることが望ましい。拡張検索領域のモニタリングをするよう要求する指示に関する情報を取得した移動局装置は、拡張検索領域のモニタリングをするように設定される。拡張検索領域のモニタリングをするよう要求する指示に関する情報は、明示的に指定されてもよいし、他の何らかの情報に関連付けて暗示的に指定されてもよい。
【０１３６】
拡張検索領域に関連する情報や拡張検索領域のモニタリングをするよう要求する指示に関する情報の暗示的な指定方法の例として、例えば、キャリアアグリゲーションの指示に連動して、指定されてもよいし、ＬＴＥ−Ａモード、リリース１０モードなどのモードの指示に連動して、指定されてもよいし、下りリンクコンポーネントキャリアセットの設定やＰＤＣＣＨモニタリングセットの設定に連動して、指定されてもよいし、コンポーネントキャリアのアクティベーション／デアクティベーションに連動して、指定されてもよい。
【０１３７】
上記のそれぞれの実施形態において、コンポーネントキャリアは、単にセルと解釈することもでき、移動局装置が複数のセルのシステム情報を管理すると解釈することもできる。
【０１３８】
上記のそれぞれの実施形態においては、複数のコンポーネントキャリアで一つのシステムを構成するように説明したが、複数のシステムが、アグリゲーションされて、一つのシステムとして構成されると解釈することもできる。また、コンポーネントキャリアは、特定の受信側、又は、特定の送信側が、それぞれのコンポーネントキャリアの中心にキャリア周波数を合わせることによってシステムが動作する領域であることを示していると解釈することもできる。
【０１３９】
上記のそれぞれの実施形態を組み合わせて実施してもよい。
【０１４０】
上記のそれぞれの実施形態においては、基地局装置および移動局装置は複数であっても良い。また、移動局装置とは、移動する端末に限らず、基地局装置や固定端末に移動局装置の機能を実装することなどにより実現しても良い。
【０１４１】
また、以上説明したそれぞれの実施形態において、本発明に関わる移動局装置および基地局装置で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ROM、不揮発性メモリカード等）、光記録媒体（例えば、DVD、MO、MD、CD、BD等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１４２】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における移動局装置および基地局装置の一部、または全部を典型的には集積回路であるＬＳＩとして実現してもよい。移動局装置および基地局装置の各機能ブロックは個別にチップ化してもよいし、一部、または全部を集積してチップ化してもよい。また、集積回路化の手法はＬＳＩに限らず、ＡＳＩＣ、チップセット基板、専用回路、または汎用プロセッサで実現しても良い。また、半導体技術の進歩によりＬＳＩに代替する集積回路化の技術が出現した場合、当該技術による集積回路を用いることも可能である。
【０１４３】
さらに本発明に係る移動局装置は、以下の手段を講じることができる。つまり移動通信システムにおいて基地局装置と通信する移動局装置であって、前記基地局装置からの指示に応じて、セル内の移動局装置に共通して定められる共通検索領域または移動局装置ごとに定められる移動局特有検索領域のいずれとも異なる拡張検索領域で、物理下りリンク制御チャネルのモニタリングを行う。
【０１４４】
また、移動通信システムにおいて移動局装置と通信する基地局装置であって、前記移動局装置に対して、セル内の移動局装置に共通して定められる共通検索領域または移動局装置ごとに定められる移動局特有検索領域のいずれとも異なる拡張検索領域で物理下りリンク制御チャネルのモニタリングを行うように指示する。
【０１４５】
さらに、移動通信システムにおける移動局装置の処理方法であって、基地局装置からの指示に応じて、セル内の移動局装置に共通して定められる共通検索領域または移動局装置ごとに定められる移動局特有検索領域のいずれとも異なる拡張検索領域で、物理下りリンク制御チャネルのモニタリングを行う。
【０１４６】
また、移動通信システムにおける基地局装置の処理方法であって、移動局装置に対して、セル内の移動局装置に共通して定められる共通検索領域または移動局装置ごとに定められる移動局特有検索領域のいずれとも異なる拡張検索領域で物理下りリンク制御チャネルのモニタリングを行うように指示する。
【０１４７】
以上、この発明の実施形態について図面を参照して詳述してきたが、具体的な構成はこの実施形態に限られるものではなく、この発明の要旨を逸脱しない範囲の設計等も特許請求の範囲に含まれる。
【図面の簡単な説明】
【０１４８】
【図１】本発明の実施形態による通信システムで用いる下りリンクのチャネルの構成を示す図である。
【図２】本発明の実施形態による通信システムで用いる上りリンクのチャネルの構成を示す図である。
【図３】本発明の実施形態によるネットワーク構成の例を示す図である。
【図４】本発明の実施形態による基地局装置の構成を示す概略ブロック図である。
【図５】本発明の実施形態による移動局装置の構成を示す概略ブロック図である。
【図６】本発明の実施形態による拡張検索領域の例を示す図である。
【図７】本発明の実施形態による拡張検索領域の別の例（第２の共通検索領域）を示す図である。
【図８】本発明の実施形態による拡張検索領域の別の例（第３の共通検索領域）を示す図である。
【図９】本発明の実施形態による拡張検索領域の別の例（グループ特有検索領域）を示す図である。
【図１０】本発明の実施形態による拡張検索領域の別の例（グループ特有検索領域、第３の共通検索領域）を示す図である。
【図１１】本発明の実施形態による拡張検索領域の別の例（グループ特有検索領域、アンカーキャリア）を示す図である。
【図１２】本発明の実施形態による拡張検索領域のモニタリング開始処理を示す図である。
【図１３】本発明の実施形態による検索領域の概念図である。
【図１４】従来の通信システムで用いられているチャネル構成を示す図である。
【符号の説明】
【０１４９】
１００…基地局装置、１０１…データ制御部、１０２…ＯＦＤＭ変調部、１０３…無線部、１０４…スケジューリング部、１０５…チャネル推定部、１０６…ＤＦＴ−Ｓ−ＯＦＤＭ復調部、１０７…データ抽出部、１０８…上位層、２００…移動局装置、２０１…データ制御部、２０２…ＤＦＴ−Ｓ−ＯＦＤＭ変調部、２０３…無線部、２０４…スケジューリング部、２０５…チャネル推定部、２０６…ＯＦＤＭ復調部、２０７…データ抽出部、２０８…上位層、Ａ１，Ａ２…アンテナ部、１０…受信部、１１…受信部、１２…送信部、１３…送信部、２０…送信部、２１…受信部、２２…受信部
【図１】
0005607228.tif 000002
【図２】
0005607228.tif 000003
【図３】
0005607228.tif 000004
【図４】
0005607228.tif 000005
【図５】
0005607228.tif 000006
【図６】
0005607228.tif 000007
【図７】
0005607228.tif 000008
【図８】
0005607228.tif 000009
【図９】
0005607228.tif 000010
【図１０】
0005607228.tif 000011
【図１１】
0005607228.tif 000012
【図１２】
0005607228.tif 000013
【図１３】
0005607228.tif 000014
【図１４】
0005607228.tif 000015